(57)【要約】【課題】受信装置において、周波数掃引による選局動作において速やかに放送局を検出し、かつ、ノイズによる誤検出を防止できるようにする。【解決手段】放送信号を受信して中間周波数信号に変換するチューナ１３と、チューナの同調周波数を掃引して放送局の信号を検出するマイコン１１とを備えた受信装置１０であって、マイコン１１は、チューナ１３の同調周波数をスキャンする動作中にチューナ１３が信号を受信すると、チューナの同調周波数をシフトさせ、このシフトに伴う中間周波数信号の周波数の変化を検出することにより、チューナ１３が受信した信号が放送局の信号であるか否かを判別する。【選択図】図１
2007251623.tif 000002
【特許請求の範囲】
【請求項１】
放送信号を受信して中間周波数信号に変換するチューナと、
前記チューナの同調周波数を掃引して放送局の信号を検出する制御手段と、を備え、
前記制御手段は、前記チューナの同調周波数を掃引する動作中に前記チューナが信号を受信すると、前記チューナの同調周波数をシフトさせ、このシフトに伴う前記中間周波数信号の周波数の変化を検出することにより、前記チューナが受信した信号が放送局の信号であるか否かを判別すること、
を特徴とする受信装置。
【請求項２】
前記制御手段は、前記チューナが受信した信号が放送局の信号であると判別した場合に、前記チューナの同調周波数を、シフトさせる前の同調周波数に固定すること、
を特徴とする請求項１記載の受信装置。
【請求項３】
前記制御手段は、前記チューナの同調周波数を所定のステップ幅で掃引するものであって、
前記チューナが信号を受信した際に同調周波数をシフトさせる幅は、掃引時のステップ幅より小さいこと、
を特徴とする請求項１または２記載の受信装置。
【請求項４】
前記チューナは、ＡＭラジオ放送を受信するものであることを特徴とする請求項１から３のいずれかに記載の受信装置。
【請求項５】
放送信号を受信して中間周波数信号に変換するチューナを備えた受信装置における受信方法であって、
前記チューナの同調周波数を掃引して放送局の信号を検出する検出動作を行い、この検出動作で前記チューナの同調周波数を掃引する動作中に前記チューナが信号を受信すると、前記チューナの同調周波数をシフトさせ、このシフトに伴う前記中間周波数信号の周波数の変化を検出することにより、前記チューナが受信した信号が放送局の信号であるか否かを判別すること、
を特徴とする受信方法。
【発明の詳細な説明】
【技術分野】
【０００１】
本発明は、放送を受信する受信装置、および、この受信装置における受信方法に関する。
【背景技術】
【０００２】
ＡＭラジオ等の放送を受信する受信装置においては、周波数を掃引（スキャン）して放送局を自動的に探す自動選局機能を持つものが知られている。ところが、自動選局の実行中に強いノイズを受信すると、放送局信号を受信したものと誤認して自動選局を停止してしまうことがある。このノイズによる誤動作を避けるため、従来、非同調受信モードにおいて周波数掃引を行い、放送局を検出した場合には同調受信モードに移行して、改めて局検出を行う方法が提案された（例えば、特許文献１参照。）。
【特許文献１】特開平９−２７０６７５号公報
【発明の開示】
【発明が解決しようとする課題】
【０００３】
特許文献１に記載された方法では、いったん非同調受信モードで局検出をした後に動作モードを切り替えて再び局検出を行うので、局検出に時間がかかるという問題があった。また、非同調受信モードと同調受信モードとの両方を具備した特別な構成が必要とされ、一般的な受信装置に適用することは困難であった。
【０００４】
本発明は、上述した事情に鑑み、一般的な受信装置において、周波数掃引による自動選局動作において速やかに放送局を検出し、かつ、ノイズによる誤動作を回避できるようにすることを目的としている。
【課題を解決するための手段】
【０００５】
上記課題を解決するため、本発明は、放送信号を受信して中間周波数信号に変換するチューナと、前記チューナの同調周波数を掃引して放送局の信号を検出する制御手段と、を備え、前記制御手段は、前記チューナの同調周波数を掃引する動作中に前記チューナが信号を受信すると、前記チューナの同調周波数をシフトさせ、このシフトに伴う前記中間周波数信号の周波数の変化を検出することにより、前記チューナが受信した信号が放送局の信号であるか否かを判別すること、を特徴とする受信装置を提供する。
この構成によれば、チューナの同調周波数を掃引して放送局の信号を検出する動作において、チューナが受信した信号が放送局の信号であるかノイズであるかを、短時間で確実に判別できるので、ノイズを放送信号と誤認することがない。このため、速やかに放送局を検出することができ、かつ、ノイズによる誤動作を確実に回避できる。
【０００６】
ここで、前記制御手段は、前記チューナが受信した信号が放送局の信号であると判別した場合に、前記チューナの同調周波数を、シフトさせる前の同調周波数に固定するものとしてもよい。この場合、チューナの同調周波数を掃引して放送局を検出し、検出した放送局を継続して受信する自動選局動作を、誤動作無く確実に行える。
また、上記構成において、前記制御手段は、前記制御手段は、前記チューナの同調周波数を所定のステップ幅で掃引するものであって、前記チューナが信号を受信した際に同調周波数をシフトさせる幅を、掃引時のステップ幅より小さくしてもよい。この場合、チューナが信号を検出した際に、その信号がノイズか否かを判別するのに最適な幅だけ同調周波数をシフトさせるので、より確実に、放送局の信号か否かを判別できる。
また、前記チューナは、ＡＭラジオ放送を受信するものとしてもよい。この場合、ノイズの影響を受けやすいＡＭラジオ放送の受信時におけるノイズの影響を回避することができ、極めて有用である。
【０００７】
また、上記課題を解決するため、本発明は、放送信号を受信して中間周波数信号に変換するチューナを備えた受信装置における受信方法であって、前記チューナの同調周波数を掃引して放送局の信号を検出する検出動作を行い、この検出動作で前記チューナの同調周波数を掃引する動作中に前記チューナが信号を受信すると、前記チューナの同調周波数をシフトさせ、このシフトに伴う前記中間周波数信号の周波数の変化を検出することにより、前記チューナが受信した信号が放送局の信号であるか否かを判別すること、を特徴とする受信方法を提供する。
この方法によれば、チューナの同調周波数を掃引して放送局の信号を検出する検出動作において、チューナが受信した信号が放送局の信号であるかノイズであるかを短時間で確実に判別できるので、ノイズを放送信号と誤認することがない。このため、速やかに放送局を検出することができ、かつ、ノイズによる誤動作を確実に回避できる。
【発明の効果】
【０００８】
本発明によれば、チューナが受信した信号が放送局の信号かノイズかを短時間で確実に判別し、ノイズによる誤動作を確実に回避できる。
【発明を実施するための最良の形態】
【０００９】
［第１の実施の形態］
以下、図面を参照しつつ本発明の実施の形態について説明する。
図１は、本発明を適用した第１の実施の形態に係る受信装置１０の機能的構成を示すブロック図である。
本第１の実施の形態に係る受信装置１０は、ＡＭラジオ放送を受信して音声を出力するものであり、図１に示すように、受信装置１０の動作を制御する制御手段としてのマイコン１１、アンテナ１２により放送を受信してＩＦ信号を出力するチューナ１３、ＩＦ信号を処理して音声信号を出力するＤＳＰ１４、および、ＤＳＰ（Ｄｉｇｉｔａｌ  Ｓｉｇｎａｌ  Ｐｒｏｃｅｓｓｏｒ）１４から出力された音声信号を増幅することによりスピーカ１６から音声を出力させる音声出力部１５の各部を備える。
【００１０】
チューナ１３は、マイコン１１の制御に従って、アンテナ１２により受信した特定周波数の放送電波に同調して放送信号を受信する。また、チューナ１３は、受信した放送信号を、内蔵する発振器（図示略）により生成した発振信号と混合することにより、例えば４５０ｋＨｚを搬送波周波数とする中間周波数（ＩＦ）信号に変換し、ＤＳＰ１４に出力する。ここで、受信装置１０がＦＭラジオ放送の受信装置能を兼ね備えたものである場合には、チューナ１３が出力するＩＦ信号の搬送波周波数を１０．７ＭＨｚとしてもよい。
【００１１】
ＤＳＰ１４は、チューナ１３から出力されたＩＦ信号をＡ／Ｄ変換し、さらに変換後のＩＦ信号を復調して、音声信号を生成する。また、ＤＳＰ１４は、内蔵する発振器（図示略）により生成した発振信号に基づき、チューナ１３から入力されたＩＦ信号の搬送波周波数のずれを検出し、ずれ幅を示す周波数オフセット信号Ｓ１をマイコン１１に出力する。さらに、ＤＳＰ１４は、チューナ１３から入力されたＩＦ信号に基づいて、チューナ１３における受信レベル（電界強度）を示す受信レベル信号Ｓ２をマイコン１１に出力する。
【００１２】
マイコン１１は、チューナ１３の同調周波数をセットして、この周波数帯の放送信号を受信させる。
また、マイコン１１は、予め指定された周波数帯域において、チューナ１３の同調周波数を掃引（スキャン）しながら放送局を検出する自動選局動作を行う。この自動選局動作において、マイコン１１は、チューナ１３の同調周波数を、例えば低周波数側から高周波数側へ９ｋＨｚステップで変化させる。そして、マイコン１１は、ＤＳＰ１４から入力される受信レベル信号Ｓ２をもとに、チューナ１３における受信レベルを判定し、所定以上の受信レベルが検出された場合には、放送局を検出したものとして同調周波数をロックし、以降はこの同調周波数で受信を続ける。
以下、自動選局動作について図２を参照して詳細に説明する。
【００１３】
図２は、受信装置１０の動作を示すフローチャートであり、詳細には、周波数掃引による自動選局動作を示す。
マイコン１１は、周波数を９ｋＨｚずつ変化させながらチューナ１３の受信レベルを監視するスキャン動作を開始し（ステップＳＴ１１）、所定以上の受信レベルが検出されるまでスキャンを継続する（ステップＳＴ１２）。所定以上の受信レベルが検出されると（ステップＳＴ１２；Ｙｅｓ）、マイコン１１は停止判定を行い、スキャンを停止させる。
【００１４】
ここでマイコン１１は、スキャン停止時のチューナ１３の同調周波数を一時的に記憶し（ステップＳＴ１３）、続いて、チューナ１３の同調周波数をシフトさせ（ステップＳＴ１４）、ＤＳＰ１４から入力される周波数オフセット信号Ｓ１に基づいて、ＩＦ信号の搬送波周波数のずれ幅を取得する（ステップＳＴ１５）。このステップＳＴ１５で周波数をシフトさせる幅は、同調周波数が放送局の受信可能周波数帯から外れないように、スキャン時のステップ幅（９ｋＨｚ）よりも小さい（例えば、３ｋＨｚ）ことが好ましい。また、ステップＳＴ１５では、同調周波数を、高周波数側にシフトさせてもよいし、低周波数側にシフトさせてもよい。
【００１５】
ここで、マイコン１１は、取得したＩＦ信号の搬送波周波数のずれ幅が基準以上であるか否かを判別し（ステップＳＴ１６）、ずれ幅が基準以上でなければ、受信中の信号がノイズであると判別してステップＳＴ１２に戻る。一方、ＩＦ信号の周波数のずれ幅が基準以上であった場合（ステップＳＴ１６；Ｙｅｓ）、マイコン１１は、チューナ１３の同調周波数をステップＳＴ１３で記憶した周波数にセットして（ステップＳＴ１７）、自動選局動作を停止する。その後は、ステップＳＴ１７でセットした同調周波数で放送が受信される。
【００１６】
図３は、チューナ１３の同調周波数とＩＦ信号のずれ幅との相関を示す図表であり、（Ａ）は放送局の信号を受信した場合を示し、（Ｂ）はノイズを受信した場合を示す。この図３（Ａ）および（Ｂ）に示す図表において、縦軸は、ＩＦ信号の搬送波周波数のずれを電圧値に換算した値であり、具体的には周波数オフセット信号Ｓ１の電圧値である。また、横軸はチューナ１３の同調周波数である。図３（Ａ）および（Ｂ）では、所定以上の受信レベルを検出してスキャンを停止したときの同調周波数をｆ0とする。
【００１７】
図３（Ａ）に示すように、放送局の信号を受信している場合、その受信可能周波数帯域内においては、同調周波数をシフトさせた分に応じてＩＦ信号の搬送波周波数がずれる。例えば、同調周波数を周波数ｆ0から低周波数側の周波数ｆ-1にシフトさせた場合は、周波数オフセット信号Ｓ１の電圧値は正の値を示し、高周波数側の周波数ｆ1にシフトさせた場合には周波数オフセット信号Ｓ１の電圧値は負の値を示す。そして、ＩＦ信号のずれ幅の絶対値は、周波数ｆ0からのずれが大きいほど増大する。
一方、図３（Ｂ）に示すように、同調周波数ｆ0でノイズを受信した場合、ノイズには搬送周波数がないことから、同調周波数をシフトさせてもＩＦ信号の周波数のずれが検出されず、周波数オフセット信号Ｓ１の電圧値は０のままとなる。
このように、放送局の信号を受信した場合には、同調周波数をシフトさせるとＩＦ信号の搬送波周波数のずれが検出され、ノイズを受信した場合には、ＩＦ信号の搬送波周波数をシフトさせても、ＩＦ信号の搬送波周波数のずれは検出されない。
【００１８】
従って、自動選局動作において、チューナ１３が所定以上の受信レベルで信号を受信した場合に、同調周波数をシフトさせ、このシフトに伴うＩＦ信号のずれを検出することで、受信した信号が放送局の信号かノイズかを判別できる。すなわち、チューナ１３が放送局の信号を受信した場合には、同調周波数をシフトさせればＩＦ信号の搬送波周波数がずれ、一方で、ノイズを受信した場合には、同調周波数をシフトさせてもＩＦ信号の搬送波周波数がずれない。このため、ＩＦ信号の搬送波周波数のずれを検出することで、放送局の信号とノイズとを正確に、容易に判別できる。このため、速やかに放送局を検出することができ、かつ、ノイズによる誤動作を確実に回避でき、確実な自動選局動作を行える。
【００１９】
また、マイコン１１は、チューナ１３により所定以上の受信レベルで信号を受信した場合に、スキャン時の周波数のステップ幅（上記の例では９ｋＨｚ）よりも小さい幅（上記の例では３ｋＨｚ）で同調周波数をシフトさせる。このため、同調周波数のシフト幅が大きすぎて同調周波数が放送局の受信可能帯域から外れ、ノイズか否かの判別ができない、といった事態は起きず、確実な判別を行える。さらに、上記の例では受信装置１０はＡＭラジオ放送を受信するものである。ＡＭラジオ放送は比較的低い周波数帯域を使用するため、ノイズの影響を受けやすいという特性があるが、本発明を適用した受信装置１０はＡＭラジオ放送の受信時におけるノイズの影響を回避することができ、極めて有用である。
【００２０】
なお、上記第１の実施の形態においては、本発明を、ＤＳＰを用いてデジタル信号処理を行う受信装置１０に適用した例について説明したが、本発明をアナログ式の受信装置に適用することも勿論可能である。以下、この場合について第２の実施の形態として説明する。
【００２１】
［第２の実施の形態］
図４は、本発明を適用した第２の実施の形態に係る受信装置２０の機能的構成を示すブロック図である。
この図４に示す受信装置２０は、上記第１の実施の形態に係る受信装置１０と同様にＡＭ放送を受信して音声を出力するものであり、ＤＳＰを具備しないアナログ受信装置である。
受信装置２０は、各部の動作を制御する制御手段としてのマイコン２１、マイコン２１の制御により所定周波数の発振信号を生成してチューナ２４に出力するＰＬＬ回路２２、アンテナ２３により放送を受信して復調し、音声信号を出力するチューナ２４、および、チューナ２４から出力された音声信号を増幅することによりスピーカ２６から音声を出力させる音声出力２５の各部を備える。
【００２２】
チューナ２４は、ＰＬＬ回路２２から入力される発振信号に基づいて決定される同調周波数で、アンテナ２３によって受信した放送電波に同調する。この同調信号は、チューナ２４により、例えば４５０ｋＨｚを搬送波周波数とするＩＦ信号に変換され、さらに復調される。また、チューナ２４は、ＰＬＬ回路２２から入力される発振信号に基づいて、ＩＦ信号の搬送波周波数のずれをカウントし、カウント値を示すＩＦカウント信号Ｓ３をマイコン２１に出力する。さらに、チューナ２４は、同調信号の受信レベルを示す受信レベル信号Ｓ４を、常時マイコン２１に出力する。
【００２３】
マイコン２１は、ＰＬＬ回路２２からチューナ２４に出力する発振信号の周波数を制御することにより、チューナ２４によって所定の同調周波数で放送信号を受信させる。また、マイコン２１は、予め指定された周波数帯域において、チューナ２４の同調周波数を掃引（スキャン）しながら放送局を検出する自動選局動作を行う。この自動選局動作において、マイコン２１は、ＰＬＬ回路２２から出力する発振信号の周波数を変化させることで、チューナ２３の同調周波数を、例えば低周波数側から高周波数側へ９ｋＨｚステップでスキャンする。そして、マイコン２１は、チューナ２４から入力される受信レベル信号Ｓ４をもとに受信レベルを判定し、所定以上の受信レベルが検出された場合には、放送局を検出したものとして同調周波数をロックし、以降はこの同調周波数で受信を続ける。以下、この動作について図４を参照して詳細に説明する。
【００２４】
図４は、受信装置２０の動作を示すフローチャートであり、詳細には、周波数掃引による自動選局動作を示す。マイコン２１は、チューナ２４の同調周波数を９ｋＨｚずつ変化させながらチューナ２４の受信レベルを監視するスキャン動作を開始し（ステップＳＴ２１）、所定以上の受信レベルが検出されるまでスキャンを継続する（ステップＳＴ２２）。所定以上の受信レベルが検出されると（ステップＳＴ２２；Ｙｅｓ）、マイコン２１は停止判定を行い、スキャンを停止させる。
【００２５】
ここでマイコン２１は、スキャン停止時のチューナ２４の同調周波数を一時的に記憶し（ステップＳＴ２３）、続いて、チューナ２４の同調周波数をシフトさせ（ステップＳＴ２４）、チューナ２４から入力されるＩＦカウント信号Ｓ３に基づいて、ＩＦ信号の搬送波周波数のずれ幅を取得する（ステップＳＴ２５）。このステップＳＴ２５におけるシフト幅は、同調周波数が放送局の受信可能周波数帯からはずれないように、スキャン時のステップ幅（９ｋＨｚ）よりも小さい（例えば、３ｋＨｚ）ことが好ましい。また、ステップＳＴ２５では、同調周波数を高周波数側にシフトさせてもよいし、低周波数側にシフトさせてもよい。
【００２６】
ここで、マイコン２１は、ＩＦカウント信号Ｓ３が示すカウント値が基準以上であるか否かを判別し（ステップＳＴ２６）、カウント値が基準以上でなければ、受信中の信号がノイズであると判別してステップＳＴ２２に戻る。一方、カウント値が基準以上であった場合（ステップＳＴ２６；Ｙｅｓ）、マイコン２１は、チューナ２４の同調周波数をステップＳＴ２３で記憶した周波数にセットして（ステップＳＴ２７）、自動選局動作を停止する。その後は、ステップＳＴ２７でセットした同調周波数で放送が受信される。
【００２７】
図３を参照して上述したように、放送局から送信された放送局の信号を受信している場合には、同調周波数のずれに伴ってＩＦ信号の搬送波周波数がずれる。従って、チューナ２４における同調周波数をシフトさせて、ＩＦ信号の周波数のずれを示すカウント値を参照すれば、ノイズを受信したのか、放送局の信号を受信したのかを判別できる。
【００２８】
このように、本第２の実施の形態に係るアナログ式の受信装置２０によれば、上記第１の実施の形態で説明した受信装置１０と同様の効果が得られる。すなわち、自動選局動作において、チューナ２４が所定以上の受信レベルで信号を受信した場合に同調周波数をシフトさせ、このシフトに伴うＩＦ信号の搬送波周波数のずれを検出することで、受信した信号が放送局の信号か、ノイズかを判別できる。これにより、速やかに放送局を検出するとともにノイズによる誤動作を確実に回避でき、確実な自動選局動作を行える。
【００２９】
なお、上述した各実施の形態は本発明の一実施態様を示すものであり、本発明の範囲内で任意に変形および応用可能であることは勿論である。例えば、上記第１及び第２の実施の形態においては、ＡＭラジオ放送を受信する受信装置１０、２０を例示して説明したが、本発明はこれに限定されるものではなく、ＦＭ放送を受信する受信装置に適用することも可能である。この場合、自動選局動作においては、例えば１００ｋＨｚステップで同調周波数（中心周波数）をスキャンし、停止判定を行った後に、同調周波数（中心周波数）を１０〜３０ｋＨｚ程度シフトさせるとよい。さらに、受信した信号を中間周波数に変換して復調する構成を有するものであれば、他の放送を受信する装置に対しても適用可能であり、他の装置に付属または内蔵された形態で実装される受信装置に対しても適用できる。
また、受信装置１０、２０は、車両に搭載されたスピーカから音声を出力させる車載音響装置として構成されてもよく、通常の室内に設置されたスピーカから音声を出力する家庭用または業務用オーディオ装置等の音響機器、或いは携帯型のラジオ受信装置としてもよい。さらに、上記各実施の形態において、受信装置１０、２０を操作する操作部を設けることも可能であり、その他の細部構成についても本発明の趣旨を損なうことのない範囲において任意に変更可能である。
【図面の簡単な説明】
【００３０】
【図１】第１の実施の形態に係る受信装置の機能的構成を示すブロック図である。
【図２】図１の受信装置の動作を示すフローチャートである。
【図３】チューナの同調周波数とＩＦ信号のずれ幅との相関を示す図表である。
【図４】第２の実施の形態に係る受信装置の機能的構成を示すブロック図である。
【図５】図４の受信装置の動作を示すフローチャートである。
【符号の説明】
【００３１】
１０、２０  受信装置
１１、２１  マイコン（制御手段）
１２、２３  アンテナ
１３、２４  チューナ
１４  ＤＳＰ
１５、２５  音声出力部
１６、２６  スピーカ
２２  ＰＬＬ回路
【図１】
2007251623.tif 000003
【図２】
2007251623.tif 000004
【図３】
2007251623.tif 000005
【図４】
2007251623.tif 000006
【図５】
2007251623.tif 000007